(57)【要約】      （修正有）【課題】双方向へ引っ張り出すキャビネットを使用し、双方向の引き出しを正確に位置決めする双方向引き出しを有するキャビネット施錠装置を提供する。【解決手段】箱体１０、施錠装置、スライド溝、連動枠及び掛止部材を備える。箱体１０は、第１の側板１０１、第２の側板１０２、頂板１０３及び底板１０４を含んで中空状を呈する箱型キャビネットである。第１の側板１０１の中央部の適所には、第１の開口が形成されている。箱体１０内には、上下方向に配列された複数の双方向引き出しが収容されている。引き出し１１の外側面中央部の適所には、位置決め凸柱が設けられ、且つ引き出し１１の両側には、互いに対をなす双方向スライドレールがそれぞれ固設され、箱体１０内に引き出しが移動可能に取付けられている。施錠装置は、スライド溝、連動枠、螺着部材及び少なくとも１つの掛止部材を含む。【選択図】図１
0003196556.tif 000002
【実用新案登録請求の範囲】
【請求項１】
箱体、施錠装置、スライド溝、連動枠及び掛止部材を備えた双方向引き出しを有するキャビネット施錠装置であって、
前記箱体は、第１の側板、第２の側板、頂板及び底板を含んで中空状を呈する箱型キャビネットであり、前記第１の側板の中央部の適所には、第１の開口が形成され、前記箱体内には、上下方向に配列された複数の双方向引き出しが収容され、前記引き出しの外側面中央部の適所には、位置決め凸柱が設けられ、且つ前記引き出しの両側には、互いに対をなす双方向スライドレールがそれぞれ固設され、前記箱体内に引き出しが移動可能に取付けられ、
前記施錠装置は、スライド溝、連動枠、螺着部材及び少なくとも１つの掛止部材を含み、
前記スライド溝は、帯状の凹溝を呈し、前記箱体の前記第１の側板中央部の適所に垂直に形成され、前記スライド溝の両側壁には、第１の螺着壁がそれぞれ延設され、前記スライド溝底面の前記第１の開口に対応した箇所には第２の開口が形成され、
前記連動枠は、下向きのコ字状を呈するプレート構造であり、前記スライド溝内に摺動可能に嵌合され、前記連動枠背面の前記第２の開口に対応した箇所には、水平に折り曲げられた揺動部が延設され、前記第１の開口及び前記第２の開口中で前記揺動部が上下方向へ移動可能に挿設され、
前記掛止部材は、前記連動枠上の適所に順次対応して固設され、前記掛止部材は、前記位置決め凸柱に対応した位置決め凹溝を含み、前記位置決め凹溝は、互いに平行な２つの第１の縁部と、前記第１の縁部に対して垂直に接続された第２の縁部とを含み、前記第１の縁部は、前記掛止部材の縦方向へ延び、前記第２の縁部は、前記掛止部材の横方向へ延び、前記位置決め凹溝の両側には、第２のスライドガイド斜面及び第１のスライドガイド斜面が対称に延設され、前記引き出しが左右に往復移動すると、前記位置決め凸柱が前記第１のスライドガイド斜面及び前記第２のスライドガイド斜面に沿って摺動して前記位置決め凹溝内に挿入され、前記位置決め凹溝の左右両端側の前記第１の縁部間に係止されて位置決めされることを特徴とする双方向引き出しを有するキャビネット施錠装置。
【請求項２】
前記連動枠の側部頂端には、第１のフック部が固設され、
前記第１のフック部は、第１のフック孔を有することを特徴とする請求項１に記載の双方向引き出しを有するキャビネット施錠装置。
【請求項３】
前記スライド溝の側部の前記第１のフック部に対応した適所には、第２のフック部が延設され、
前記第２のフック部は、第２のフック孔を有することを特徴とする請求項２に記載の双方向引き出しを有するキャビネット施錠装置。
【請求項４】
前記第１のフック孔及び前記第２のフック孔にそれぞれ固定される上下両端を有するとともに、前記スライド溝と前記連動枠との間に、蓄勢により復位する付勢力を発生させる弾性部材をさらに備えることを特徴とする請求項３に記載の双方向引き出しを有するキャビネット施錠装置。
【請求項５】
前記連動枠背面の頂端に近接した適所には、折り曲げられたストッパ部が延設されていることを特徴とする請求項１に記載の双方向引き出しを有するキャビネット施錠装置。
【請求項６】
前記施錠装置は、螺着部材を含み、
前記螺着部材は、前記箱体の頂端側壁に挿設されるとともに、外端部及び係合部を含み、
前記外端部は、利用者が鍵により前記螺着部材を容易に回転することができるように、前記箱体の外側壁に螺着され、前記外端部の他端には、係合部が取り付けられ、前記鍵により前記螺着部材を回転させると、前記連動枠の前記ストッパ部の頂面に前記係合部が当接され、前記連動枠の垂直方向の摺動動作が止められることを特徴とする請求項５に記載の双方向引き出しを有するキャビネット施錠装置。
【請求項７】
複数の帯状のプレート状位置決め部材をさらに備え、
前記位置決め部材の両端側は、前記スライド溝の前記第１の螺着壁に螺着され、前記連動枠が前記スライド溝内のみで上下方向に摺動することが可能であることを特徴とする請求項１に記載の双方向引き出しを有するキャビネット施錠装置。
【請求項８】
前記第１の開口及び前記第２の開口と連通した第３の開口に挿設された外蓋をさらに備え、
前記第３の開口には、周囲の内端縁に延設されて水平に折り曲げられた当接部を有し、
前記当接部の外環面は、前記第１の開口及び前記第２の開口の内環面に順次当接され、
前記外蓋は、前記第１の側板に取り付けられ、利用者が前記外蓋の前記第３の開口と前記第１の側板の前記第１の開口とを利用し、前記揺動部の昇降を制御すると前記連動枠が移動・昇降されることを特徴とする請求項１に記載の双方向引き出しを有するキャビネット施錠装置。
【考案の詳細な説明】
【技術分野】
【０００１】
本考案は、キャビネット施錠装置に関し、特に、引き出しを双方向へ引っ張って使用することができる双方向引き出しを有するキャビネット施錠装置に関する。
【背景技術】
【０００２】
一般の資料用キャビネット、机用キャビネットは、物品、書類などを収納する階層的かつ上下に配列された引き出しを有する。キャビネットは、開ける引き出しの数又は引き出しを開けた状態を調整し、キャビネットに取り付けられた錠前により引き出しが施錠される。
【０００３】
従来のキャビネットの引き出し施錠装置は、箱体及び施錠装置を含む。箱体には、双方向の引き出しが収納されている。引き出しの外側面には、位置決め凸柱が設けられ、且つ箱体と引き出しとの間には、箱体内で引き出しが摺動可能なように双方向スライドレールが設けられている。スライドレールには、位置決め凹部が設けられ、位置決め凹部に位置決め凸柱が係合されて位置決めされる。施錠装置は、スライド溝、連杆、ロック部材及び複数の係合部材を含む。連杆は、スライド溝内に摺動可能に嵌合されている。鍵でロック部材を回すと、カム部により連杆のストッパ部が押圧され、連杆が押されて上下方向へ移動され、引き出しを位置決めして施錠する。この従来の構造は、部品が複雑すぎるため改良する必要があった。
【０００４】
従来の双方向引き出しを有するキャビネット施錠装置は、複数の双方向引き出しを収容する箱体を含む。この双方向引き出しには、位置決め凸柱が設けられ、かつ、箱体には、引き出しとの間に双方向スライドレールが設けられている。施錠装置は、係合部材により位置決め凸柱に嵌合され、引き出しを位置決めして施錠する。しかし、このような従来構造は、キャビネットの引き出しを双方向で引っ張り出したり押し戻したりする際、利用者が加える力が大きすぎる場合、係合部材が位置決め凸柱へ確実に嵌合されずに、双方向引き出しを確実に位置決めすることができない虞があった。キャビネットには、ハンドツール、電動工具、結合部材などが種類別に収納されることが一般的であるが、収納する工具が重すぎる場合、引き出しを開閉する際に重心が不安定となり、工具キャビネット全体が倒れたり工具が落下したりして利用者が怪我をする虞があり、安全性に問題があり、改良が求められていた。
【考案の概要】
【考案が解決しようとする課題】
【０００５】
本考案の主な目的は、双方向へ引っ張り出すキャビネットを使用し、双方向の引き出しを正確に位置決めする双方向引き出しを有するキャビネット施錠装置を提供することにある。
【図面の簡単な説明】
【０００６】
【図１】本考案の一実施形態に係る双方向引き出しを有するキャビネット施錠装置を示す斜視図である。
【図２】本考案の一実施形態に係る双方向引き出しを有するキャビネット施錠装置の第１の側板と施錠装置とを組み合わせ、キャビネットを透視して外側からロック構造を見たときの状態を示す透視図である。
【図３】図２の部分拡大図である。
【図４】図２の施錠装置から外蓋が外された状態を示す斜視図である。
【図５】図４の部分拡大図である。
【図６】本考案の一実施形態に係る双方向引き出しを有するキャビネット施錠装置の連動枠を示す斜視図である。
【図７】本考案の一実施形態に係る双方向引き出しを有するキャビネット施錠装置の第１の側板、施錠装置及び引き出しを組み合わせた状態を別の角度から見たときの分解斜視図である。
【図８】図７の第１の側板と施錠装置とを組み合わせた状態を示す斜視図である。
【図９】位置決め凸柱を係合部材中で係止し、引き出しが位置決めされた状態を示す説明図（１）である。
【図１０】図９の線Ａ−Ａに沿った断面図である。
【図１１】揺動部の牽引により、位置決め凸柱から係合部材が外れて引き出しの位置決めが解除され、引っ張り出されるときの状態を示す説明図（２）である。
【図１２】図１１の線Ｂ−Ｂに沿った断面図である。
【考案を実施するための形態】
【０００７】
以下、本考案の実施形態について図に基づいて説明する。なお、これによって本考案が限定されるものではない。
【０００８】
図１〜図８を参照する。図１〜図８に示すように、本考案の一実施形態に係る双方向引き出しを有するキャビネット施錠装置は、少なくとも箱体１０及び施錠装置２０から構成されてなる。
【０００９】
箱体１０は、第１の側板１０１、第２の側板１０２、頂板１０３及び底板１０４を含む。箱体１０は、中空状を呈する箱型キャビネットである。第１の側板１０１中央部の適所には、第１の開口１０１１が形成されている。箱体１０内には、上下方向に配列された複数の双方向引き出し１１が収容されている。各引き出し１１の外側面中央部の適所には、位置決め凸柱１３が設けられ、且つ各引き出し１１の両側には、対をなす双方向スライドレール１２がそれぞれ固設され、箱体１０内に引き出し１１が移動可能に取付けられている。また、引き出し１１の両端には、各引き出し１１を左右両方向へ引っ張る際に用いるハンドル１１１がそれぞれ設けられている（ハンドルについては従来技術であるため、ここでは詳述しない）。
【００１０】
施錠装置２０は、スライド溝２１、連動枠２２、螺着部材２３、少なくとも１つの掛止部材２４及び外蓋２７を含む。
【００１１】
スライド溝２１は、帯状の凹溝を呈し、箱体１０の第１の側板１０１中央部の適所に垂直に形成されている。スライド溝２１底面の第１の側板１０１の第１の開口１０１１に対応した箇所には、第２の開口２１３が形成されている。スライド溝２１の一側頂端の適所には、第２のフック部２１２が固設され、第２のフック部２１２は、第２のフック孔２１２１を有する。
【００１２】
連動枠２２は、下向きのコ字状を呈するプレート構造であり、スライド溝２１内に摺動可能に嵌合され、複数の帯状のプレート状の位置決め部材２５により連動枠２２を組み合わせてスライド溝２１内に位置決めされる。即ち、各位置決め部材２５の両端側は、スライド溝２１の第１の螺着壁２１１に螺着され、連動枠２２がスライド溝２１内で上下方向に摺動できるようにされている。連動枠２２背面の頂端に近接した適所には、水平に折り曲げられたストッパ部２２２が延設され、連動枠２２の背面に対応した第２の開口２１３には、水平に折り曲げられた揺動部２２４が延設されている。揺動部２２４が連動枠２２に接続された箇所には、補強作用を有する少なくとも１つの凹部２２４１が凹設されている。揺動部２２４は、スライド溝２１の第２の開口２１３中に、上下方向へ移動可能に挿設されている。また、連動枠２２の一側頂端には、第１のフック部２２３が固設され、第１のフック部２２３は、第１のフック孔２２３１を有する。第１のフック孔２２３１と第２のフック孔２１２１との間には、コイル状のばねである弾性部材２６が取り付けられ、弾性部材２６により連動枠２２とスライド溝２１との間に、蓄勢により復位する付勢力が発生し、連動枠２２が初期状態に戻る。
【００１３】
螺着部材２３は、箱体１０の頂端側壁に挿設され、連動枠２２の垂直摺動行程を制御する。螺着部材２３は、外端部２３１及び係合部２３２を含む。外端部２３１は、利用者が鍵３０により螺着部材２３を容易に回転することができるように、箱体１０の外側壁に螺着され、外端部２３１の他端には、係合部２３２が取り付けられ、鍵３０により螺着部材２３を回転させると、係合部２３２が回転して連動枠２２のストッパ部２２２の頂面に当接され（図２〜図５を参照する）、連動枠２２が上方へ摺動する動作が止められて施錠される。
【００１４】
掛止部材２４は、連動枠２２上の適所に対応して固設されている。掛止部材２４は、位置決め凸柱１３に対応した位置決め凹溝２４１を含む。位置決め凹溝２４１は、互いに平行な２つの第１の縁部２４１１と、各第１の縁部２４１１に対して垂直に接続された第２の縁部２４１２とを含む。各第１の縁部２４１１は、掛止部材２４の縦方向へ延び、第２の縁部２４１２は、掛止部材２４の横方向へ延びている。位置決め凹溝２４１の両側には、第２のスライドガイド斜面２４４及び第１のスライドガイド斜面２４２が対称に延設され、引き出し１１が左右に往復移動すると、位置決め凸柱１３が第１のスライドガイド斜面２４２及び第２のスライドガイド斜面２４４に沿って摺動し、連動枠２２が案内されて上下方向に摺動して位置決め凹溝２４１内に挿入され、位置決め凸柱１３が位置決め凹溝２４１の左右両端側の第１の縁部２４１１間に係止されて位置決めされ、双方向引き出しの位置決めを正確に行い、掛止部材２４の両側には、係止端２４３がそれぞれ突設されている。掛止部材２４は、各係止端２４３により連動枠２２の適所に取り付けられている。
【００１５】
外蓋２７は、第１の側板１０１の第１の開口１０１１と、スライド溝２１の第２の開口２１３と連通した第３の開口２７１とに挿設され、第３の開口２７１の周囲の内端縁に延設され、水平に折り曲げられた当接部２７２を有する。 当接部２７２の外環面は、第１の開口１０１１及び第２の開口２１３の内環面に当接され、外蓋２７は、第１の側板１０１に取り付けられている。
【００１６】
揺動部２２４が第２の開口２１３、第１の開口１０１１及び第３の開口２７１に順次挿通され、外蓋２７の第３の開口２７１、第１の側板１０１の第１の開口１０１１及びスライド溝２１の第２の開口２１３により、揺動部２２４の昇降を調整して連動枠２２を移動・昇降させることを安全かつ短時間に行うことができ、便利である。
【００１７】
図９〜図１２を参照する。図９〜図１２は、本考案の双方向引き出しを有するキャビネット施錠装置を実際に作動させるときの状態を示す。図９は、引き出し１１が閉じられて位置決めされるときの状態を示す。引き出し１１の位置決め凸柱１３は、掛止部材２４の位置決め凹溝２４１内で係止されて位置決めされるため、引き出し１１が箱体１０内に固定され、外方へ引っ張られることを防ぐ。利用者が引き出し１１を開ける場合、まず、上方向へ揺動部２２４を揺動し、連動枠２２を上方へ変位させると、掛止部材２４が連動枠２２により上方へ変位し、引き出し１１の位置決め凸柱１３が掛止部材２４の位置決め凹溝２４１の第１の縁部２４１１から外れ（図１１参照）、引き出し１１の位置決め凸柱１３と掛止部材２４の位置決め凹溝２４１との係合関係が解除され、引き出し１１がスムーズに外方へ牽引される。
【００１８】
箱体１０内に引き出し１１が完全に押し込まれず、螺着部材２３が未だ施錠されていないときに、引き出し１１に力を加えて押し込んで位置決めすると、引き出し１１の位置決め凸柱１３が掛止部材２４の第１のスライドガイド斜面２４２構造により、掛止部材２４がスムーズに押圧され、掛止部材２４及び連動枠２２を上昇させ、利用者が引き出し１１を閉める際に加える力が大きすぎる場合、掛止部材２４の第２のスライドガイド斜面２４４及び第１の縁部２４１１構造により、位置決め凸柱１３が位置決め凹溝２４１内に正確に案内され、掛止部材２４が位置決め凸柱１３に不確実に嵌合されることを防いで位置決めを正確に行うことができる。
【００１９】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２０】
１０  箱体
１１  引き出し
１２  スライドレール
１３  位置決め凸柱
２０  施錠装置
２１  スライド溝
２２  連動枠
２３  螺着部材
２４  掛止部材
２５  位置決め部材
２６  弾性部材
２７  外蓋
３０  鍵
１０１  第１の側板
１０２  第２の側板
１０３  頂板
１０４  底板
１１１  ハンドル
２１１  第１の螺着壁
２１２  第２のフック部
２１３  第２の開口
２２２  ストッパ部
２２３  第１のフック部
２２４  揺動部
２３１  外端部
２３２  係合部
２４１  位置決め凹溝
２４２  第１のスライドガイド斜面
２４３  係止端
２４４  第２のスライドガイド斜面
２７１  第３の開口
２７２  当接部
１０１１  第１の開口
２１２１  第２のフック孔
２２３１  第１のフック孔
２２４１  凹部
２４１１  第１の縁部
２４１２  第２の縁部
【図１】
0003196556.tif 000003
【図２】
0003196556.tif 000004
【図３】
0003196556.tif 000005
【図４】
0003196556.tif 000006
【図５】
0003196556.tif 000007
【図６】
0003196556.tif 000008
【図７】
0003196556.tif 000009
【図８】
0003196556.tif 000010
【図９】
0003196556.tif 000011
【図１０】
0003196556.tif 000012
【図１１】
0003196556.tif 000013
【図１２】
0003196556.tif 000014